(57)【要約】      （修正有）【課題】光線の誘導によりハエを捕獲する効果以外に、コストが安く、包装や運送時に折り畳め、使用時に展開でき、便利で実用性があるハエ取り器を提供する。【解決手段】ハエ取り器は、本体１０と、少なくとも一つの底板２０、及び、少なくとも一つの頂板３０からなる。本体は、複数の側板を囲んでなり、適当な位置に遮光層１３を設置し、底板の両側縁は斜めに延伸し、それぞれ、相隣する側板と接合固定されると共に、本体内部は、底板の隔離により、所定幅の開口２２を形成する。また、底板上に遮光層を有し、本体は底板内側と側板間が不透光領域ａとなり、底板外側と側板間は透光領域ｂとなる。【選択図】図３
0003134986.tif 000002
【実用新案登録請求の範囲】
【請求項１】
ハエ取り器であって、本体と、少なくとも一つの底板、及び、少なくとも一つの頂板からなり、
前記本体は、複数の側板を囲んでなり、上下通空を形成し、前記本体は適当な位置に遮光層を設置し、少なくとも一側板底板はノッチを有し、
前記少なくとも一つの底板は、前記本体内に固定され、前記底板下縁は、一側板の下縁と抵接し、前記底板の両側縁は斜めに延伸し、それぞれ、相隣する側板と接合固定されると共に、前記本体内部は、前記底板の隔離により、所定幅の開口を形成し、また、前記底板上に遮光層を有し、
前記少なくとも一つの頂板は、前記本体上方に蓋合することを特徴とするハエ取り器。
【請求項２】
前記本体は少なくとも前記底板両側縁に相隣する側板上に遮光層を設置することを特徴とする請求項１に記載のハエ取り器。
【請求項３】
前記側板は直接相互に連接してなり、相隣間は折線を有することを特徴とする請求項１に記載のハエ取り器。
【請求項４】
前記底板と前記側板は直接相互に連接してなり、相隣間は折線を有することを特徴とする請求項１に記載のハエ取り器。
【請求項５】
前記底板は両側辺縁に複数のフックを有し、前記側板は前記フックの相対箇所にスリットを有することを特徴とする請求項１に記載のハエ取り器。
【請求項６】
前記本体内に二つの同方向に延伸する底板を有し、前記底板の底縁と相対する側板の底縁は接合し、相隣間は折線を有することを特徴とする請求項１に記載のハエ取り器。
【請求項７】
前記本体中の二相対側板上縁はそれぞれ頂板を有し、一頂板側縁は少なくとも一つのスリットを有し、もう一つの頂板は前記スリット位置に相対してフックを有することを特徴とする請求項１に記載のハエ取り器。
【請求項８】
前記底板、及び、側板の遮光層は、有色の印刷により前記底板上の色が下から上に次第に薄くなり、最上段は透明であることを特徴とする請求項１に記載のハエ取り器。
【請求項９】
前記本体下方は餌盤を設置することを特徴とする請求項１に記載のハエ取り器。
【請求項１０】
前記本体はＰＰ無毒プラスチックからなることを特徴とする請求項１に記載のハエ取り器。
【考案の詳細な説明】
【技術分野】
【０００１】
本考案はハエ取り器に関し、特に、環境問題を考慮し、コストが低く、折り畳みと拡張が容易なハエ取り器に関する。
【背景技術】
【０００２】
図１のように、本考案者が研究開発して特許を取得したハエ取り器は、容器１上方に上蓋２を設置し、底部は内側に導引カバー３を凹設する。導引カバー３頂端中心に上開口４を設置し、容器１内部と連通する。容器１の環壁と導引カバー３間に環槽５を有し、環槽５内は更に所定高度の液体を入れる。導引カバー３下方は導引カバー３と連通する延長カバー６を固設し、下向けに下開口７を設置する。下開口７周辺は、下向けに数個の脚架８を有し、導引カバー３内は餌盤９を有してハエを誘き寄せ、ハエが容器１内に進入し、捕獲効果を達成する。しかし、容器１、及び、延長カバー６は一定の大きさの形状と体積であり、折り畳みできず、また、金型による射出成型なので、体積が大きく、コストも高い。更に、回収利用もできないので、本考案者はこのハエ取り器には改善が必要であると考える。
【考案の開示】
【考案が解決しようとする課題】
【０００３】
本考案は、上述の問題を改善するハエ取り器を提供することを目的とする。
【課題を解決するための手段】
【０００４】
本考案のハエ取り器は、本体と、少なくとも一つの底板、及び、少なくとも一つの頂板からなる。本体は、複数の側板を囲んでなり、上下通空を形成する。本体は適当な位置に遮光層を設置し、底板下縁は本体の側板の下縁と抵接する。底板の両側縁は斜めに延伸し、それぞれ、相隣する側板と接合固定されると共に、本体内部は、底板の隔離により、所定幅の開口を形成する。また、底板上に遮光層を有し、本体は底板内側と側板間が不透光領域となり、底板外側と側板間は透光領域となる。
【考案の効果】
【０００５】
本考案のハエ取り器は、光線によりハエを誘導して捕獲する効果以外に、回収可能な無毒プラスチック材質からなり、環境保全を考慮している。更に、その構造上、コストが低く、不使用時や運送時に、折り畳みできて保管に便利で、使用時には、展開させればよく、便利で実用性がある。
【考案を実施するための最良の形態】
【０００６】
図２、及び、図３は本考案の好ましい実施例を示す図で、ハエ取り器は本実施例中、主に、透光材質の無毒PPプラスチック板体を一体裁断して形成され、折線により展開してなる。主に、本体１０、二底板２０、及び、二頂板３０、からなる。
【０００７】
本体１０は、矩形の前後側板１１、及び、左右側板１２を直接連接してなり、相隣間は折線を有して、上下通空のフレーム体を形成する。前後側板１１の一面の適当な箇所に遮光層１３を設置し、遮光層１３は深色の印刷により側板１１上に形成され、その色は下から上に向かって次第に薄くなり、最上段は透明で、広告パターンを有して広告効果を兼ね備えても良い。前後側板１１はそれぞれ対応する両スリット１１１を有し、スリット１１１はそれぞれ前後の側板１１底部の両角に同方向に傾斜し、且つ、対称に延伸排列される。また、前側板１１底縁は適当な高度のノッチ１１２を有する。
【０００８】
底板２０は、本実施例中、それぞれ、左右側板１２の底縁と相互に連接してなり、相隣間は折線を有して、折り畳みでき、底板２０の幅は前後側板１１の幅にほぼ等しく、本体内に収容できる。且つ、底板２０両側辺縁はスリット１１１に対応する数個のフック２１を凸伸し、フック２１をスリット１１１内に嵌入して係合し、底板２０両側辺縁は前後側板１１上に固定され、本体１０内部は相対設置される底板２上縁間で幅が小さい開口２２を形成する。開口２２は前後側板１１の遮光層１３上方に位置し、底板２０一面は遮光層２３を被覆する。前後側板１１の遮光層１３は底板２０の中間に位置し、本体１０は底板２０内側と前後側板１１が囲む範囲で不透光領域ａを形成し、底板２０外側と左右側板１２間は透光領域ｂを形成する。底板２０の遮光層２３は有色の印刷により底板２０上に形成され、その色は下から上に次第に薄くなり、最上段は透明である。
【０００９】
頂板３０は、それぞれ、前後側板１１上縁に連接され、相隣間は折線を有して収畳でき、一頂板３０側縁上は二スリット３１を有し、もう一つの頂板３０は相対する二スリット３１位置に二フック３２を有して、頂板３０が相互に係合して、本体１０上方に蓋合される。
【００１０】
ハエ取り器を使用する時、前後側板１１、及び、左右側板１２は、折線により本体１０を展開形成し、底板２０を本体１０内に設置し、底板２０のフック２１により前後側板１１のスリット１１１内に嵌入し、両底板２０を本体１０内の前後側板１１上に固定し、最後に、頂板３０側縁上の二スリット３１ともう一つの頂板３０の二フック３２が相互に係合し、本体１０頂部を蓋合して、ハエ取り器が完成する。ハエ取り器は適当な位置に配置され、不使用時は、底板２０上のフック２１をスリット１１１から外して、本体１０下方に折り畳み、二頂板３０を本体１０上から取り外し、最後に、本体１０の折線を一側に向かって畳み、体積が最小になって、収納や運送に便利である。
【００１１】
図４で示されるように、ハエ取り器下方に餌盤４０を設置し、餌盛４０に餌５０を入れる。ハエは餌５０により誘き寄せられ、ノッチ１１２から不透光領域ａに飛び行って餌を食べた後、出たい時、ハエは走光性を有するので、底板２０が形成するトンネル式導引作用、及び、不透光領域ａ上方開口２２の光線の導引を受けて、不透光領域ａ上方の開口から光源を有する透光領域ｂに飛び入り、ハエは不透光領域ａから脱出することが出来なくなり、ハエが本体１０の透光領域ｂ内に収集されて、捕獲される。また、ハエの捕獲確率を増加させるため、本体１０内側面に油を塗布、或いは、噴射し、ハエが粘着して死亡する作用を加速する。また、ハエ取り器が風により移動するのを防止するため、前後側板１１、及び、左右側板１２と底板２０間に石などの重い物を置き、ハエ取り器の重量を増加させる。
【００１２】
図５で示されるように、構造と功能は本考案の好ましい実施例と同様であるが、異なるのは、本体１０の前後側板１１はそれぞれ対応するスリット１１１を有し、スリット１１１はそれぞれ前後側板１１底部同側の角に同方向で傾斜し、対称に延伸して排列され、本体１０内は底板２０を設置し、且つ、底板２０は本体１０の展開後、別の底板２０をスリット１１１上に組接し、底板２０下縁は右側板１２下縁と抵接し、底板２０の左側板１２上は底板２０と相同の遮光層２３を有し、本体１０内部は底板２０と相対する左側板１２上縁間に幅が狭い開口２２を形成することにより、底板２０、及び、左側板１２内側面と前後側板１１間が不透光領域ａを形成し、底板２０外側と右側板１２間が透光領域ｂを形成する。
【００１３】
本考案の特徴と達成される効果は以下のようである。
【００１４】
１．       
本考案は収蔵時、及び、運送時、折り畳みできて空間を占有せず、運送費用を節約し、使用時は展開でき、実用性があり、公知のハエ取り器の体積が過大である欠点を改善する。
２．       
本考案はプラスチックにより一体裁断成型するので、製造コストが低く、販売価格が抑えられて、消費者の購買意欲を向上させる。
３．       
本考案は回収可能なＰＰ、或いは、ＰＥＴ等の無毒プラスチック材質により製造し、環境を汚染しない。
４．       
本考案は側板外層の遮光層が広告効果を有する深色の印刷により代替でき、広告効果を兼ね備え、製品の付加価値を増加する。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】溺死式ハエ取り器の立体分解図である。
【図２】本考案の好ましい実施例の折り畳み図である。
【図３】本考案の好ましい実施例の展開図である。
【図４】本考案の好ましい実施例の使用図である。
【図５】本考案のもう一つの好ましい実施例の展開図である。
【符号の説明】
【００１７】
公知技術
１    容器   
２    上蓋   
３    導引カバー  
４    上開口
５    環槽   
６    延長カバー 
７    下開口  
８    脚架
９    餌盤
本考案
１０  本体    
１１  前、後側板  
１２  左、右側板
１３  遮光層  
１１１ スリット        
１１２ ノッチ
２０  底板   
２１  フック      
２２  開口
２３  遮光層
３０  頂板 
３１  スリット      
３２  フック
４０  餌盤
５０  餌
ａ    不透光領域
ｂ    透光領域
【図１】
0003134986.tif 000003
【図２】
0003134986.tif 000004
【図３】
0003134986.tif 000005
【図４】
0003134986.tif 000006
【図５】
0003134986.tif 000007